(57)【要約】【課題】利用者がＩＰ電話ゲートウェイ装置のＩＰアドレスを容易に取得することが可能なＩＰ電話ゲートウェイ装置を提供すること。【解決手段】制御部２２は、ＩＰ電話網を介して取得した自身のＩＰアドレスを記憶部１９に格納する。そして、制御部２２は、電話機から特殊番号を受けると、記憶部１９に記憶された自身のＩＰアドレスを読出し、番号通知機能を用いて電話機へ送出する。電話機は、ナンバー・ディスプレイ機能を有しており、ＩＰ電話ゲートウェイ装置１から受けたＩＰアドレスを表示する。したがって、ＩＰアドレスを利用者に提示することが可能となる。【選択図】        図３
2004200899.tif 000002
【特許請求の範囲】
【請求項１】
電話機をＩＰ電話網に接続するＩＰ電話ゲートウェイ装置であって、
前記ＩＰ電話網を介して取得した自身のＩＰアドレスを記憶するための記憶手段と、
前記電話機からの要求に応じて、前記記憶手段に記憶された自身のＩＰアドレスを読出して前記電話機へ送出するための送出手段とを含む、ＩＰ電話ゲートウェイ装置。
【請求項２】
前記電話機は、ナンバー・ディスプレイ機能を有し、
前記送出手段は、番号通知機能を用いて前記電話機にＩＰアドレスを送出して表示させる、請求項１記載のＩＰ電話ゲートウェイ装置。
【請求項３】
前記送出手段は、前記電話機から特殊番号を受けたときに、前記記憶手段に記憶された自身のＩＰアドレスを読出して前記電話機へ送出する、請求項１または２記載のＩＰ電話ゲートウェイ装置。
【請求項４】
電話機をＩＰ電話網に接続するＩＰ電話ゲートウェイ装置の制御プログラムであって、
前記ＩＰ電話網を介して自身のＩＰアドレスを取得して記憶するステップと、前記電話機からの要求に応じて、前記記憶された自身のＩＰアドレスを読出して前記電話機へ送出するステップとを含む、ＩＰ電話ゲートウェイ装置の制御プログラム。
【発明の詳細な説明】
【０００１】
【発明の属する技術分野】
本発明は、ＩＰ（Internet Protocol）電話網に接続可能なＩＰ電話ゲートウェイ装置に関し、特に、利用者がＩＰ電話ゲートウェイ装置に動的に割当てられたＩＰアドレスを確認することが可能なＩＰ電話ゲートウェイ装置およびその制御プログラムに関する。
【０００２】
【従来の技術】
近年、ブロードバンド回線などによるインターネット利用が広く普及し、インターネットプロトコルを利用したＩＰ電話が盛んに開発されるようになってきている。一般に、ＣＡＴＶ（CAble TeleVision）、ＡＤＳＬ（Asymmetric DigitalSubscriber Line）、ＦＴＴＨ（Fiber To The Home）などを利用して電話機をＩＰ電話網に接続するＩＰ電話ゲートウェイ装置は、自身のＩＰアドレスをＩＳＰ（Internet Service Provider）から動的に割当を受けることが多い。これに関連する技術として、特開２００２−２３７９０７号公報に開示された発明がある。
【０００３】
特開２００２−２３７９０７号公報に開示されたインターネットＩＰ電話通信交換方式においては、インターネット網を介してインターネットＩＰ電話通信専用装置（ＩＰ電話）とインターネット電話接続管理部とが接続される。
【０００４】
電話送話者が、発信元ＩＰ電話の画面に表示されている所有者情報及びインターネット電話番号から一つの着信先ＩＰ電話を選択すると、インターネット電話接続管理部が選択されたＩＰ電話のＩＰアドレスをＩＰアドレス・データベースから検索する。
【０００５】
該当するＩＰアドレスが検索された場合、インターネット電話接続部が該当するＩＰアドレスを発信元のＩＰ電話に返信する。そして、着信先ＩＰアドレスを受け取った発信元ＩＰ電話は直接ＩＰ通話を発信する。
【０００６】
【特許文献１】
特開２００２−２３７９０７号公報
【０００７】
【発明が解決しようとする課題】
一般に、利用者がＩＰ電話ゲートウェイ装置を維持していくためには、ＩＰ電話ゲートウェイ装置の状態の確認、ログ情報の参照、電話回線等の設定、内部プログラムのバージョンアップなどを行なう必要がある。この場合、利用者はＰＣ（Personal Computer）などにＩＰアドレスを入力することにより、インターネットなどを経由してＩＰ電話ゲートウェイ装置にアクセスすることが可能である。
【０００８】
しかし、ＩＰ電話ゲートウェイ装置のＩＰアドレスは、ＰＰＰ（Point-to-Point Protocol）、ＤＨＣＰ（Dynamic Host Configuration Protocol）などによって動的に付与されるため、利用者は自身のＩＰ電話ゲートウェイ装置のＩＰアドレスを容易に確認することができないといった問題点があった。
【０００９】
また、上述した特開２００２−２３７９０７号公報に開示されたインターネットＩＰ電話交換方式においては、電話送話者が、発信元ＩＰ電話の画面に表示されている所有者情報及びインターネット電話番号から一つの着信先ＩＰ電話を選択すると、インターネット電話接続管理部が選択されたＩＰ電話のＩＰアドレスをＩＰアドレス・データベースから検索し、該当するＩＰアドレスを発信元のＩＰ電話に返信するものである。しかし、このインターネットＩＰ電話交換方式を用いた場合でも、自身のＩＰ電話ゲートウェイ装置のＩＰアドレスを容易に確認することができなかった。
【００１０】
本発明は、上記問題点を解決するためになされたものであり、その目的は、利用者がＩＰ電話ゲートウェイ装置のＩＰアドレスを容易に取得することが可能なＩＰ電話ゲートウェイ装置およびその制御プログラムを提供することである。
【００１１】
【課題を解決するための手段】
請求項１に記載の発明は、電話機をＩＰ電話網に接続するＩＰ電話ゲートウェイ装置であって、ＩＰ電話網を介して取得した自身のＩＰアドレスを記憶するための記憶手段と、電話機からの要求に応じて、記憶手段に記憶された自身のＩＰアドレスを読出して電話機へ送出するための送出手段とを含む。
【００１２】
送出手段は、電話機からの要求に応じて、記憶手段に記憶された自身のＩＰアドレスを読出して電話機へ送出するので、電話機は送出されたＩＰアドレスを表示して利用者に提示することが可能となる。
【００１３】
請求項２に記載のＩＰ電話ゲートウェイ装置は、請求項１記載のＩＰ電話ゲートウェイ装置であって、電話機は、ナンバー・ディスプレイ機能を有し、送出手段は、番号通知機能を用いて電話機にＩＰアドレスを送出して表示させる。
【００１４】
したがって、既存の電話機を用いて、ＩＰアドレスを利用者に提示することが可能となる。
【００１５】
請求項３に記載のＩＰ電話ゲートウェイ装置は、請求項１または２記載のＩＰ電話ゲートウェイ装置であって、送出手段は、電話機から特殊番号を受けたときに、記憶手段に記憶された自身のＩＰアドレスを読出して電話機へ送出する。
【００１６】
したがって、既存の電話機を用いて、ＩＰアドレスを利用者に提示することが可能となる。
【００１７】
請求項４に記載の発明は、電話機をＩＰ電話網に接続するＩＰ電話ゲートウェイ装置の制御プログラムであって、ＩＰ電話網を介して自身のＩＰアドレスを取得して記憶するステップと、電話機からの要求に応じて、記憶された自身のＩＰアドレスを読出して電話機へ送出するステップとを含む。
【００１８】
電話機からの要求に応じて、記憶された自身のＩＰアドレスを読出して電話機へ送出するので、電話機は送出されたＩＰアドレスを表示して利用者に提示することが可能となる。
【００１９】
【発明の実施の形態】
図１は、本発明の実施の形態におけるＩＰ電話ゲートウェイ装置の接続例を示す図である。ＩＰ電話ゲートウェイ装置１は、ＴＥＬインタフェース（以下、ＴＥＬ  ＩＦと略す。）１１および１２を介して電話機２および３と接続され、１０ＢａｓｅＴインタフェース（以下、ＬＡＮ（Local Area Network）ＩＦとも呼ぶ。）１３を介してＬＡＮ４に接続される。
【００２０】
ＰＣ５は、ＬＡＮ４を介してＩＰ電話ゲートウェイ装置１からログ情報などを取得することが可能である。また、ＰＣ５は、インターネット７およびＧＷ（ゲートウェイ）６を介してＩＰ電話ゲートウェイ装置１からログ情報などを取得することも可能である。
【００２１】
電話機２および３は、ナンバー・ディスプレイ機能を有しており、相手のＩＰ電話機の発信者情報を受信し、その発信者情報を表示することが可能である。利用者は、その発信者情報を見ることによって、着信を拒否したり、予め発信者を確認してから通話をすることができる。なお、ナンバー・ディスプレイ機能は、着信時に番号を通知する機能と、通信中に着信があった発信者の番号を通知する機能との２種類がある。
【００２２】
本発明の実施の形態におけるＩＰ電話ゲートウェイ装置１は、電話機２または３のナンバー・ディスプレイ機能を利用して、電話機２または３の表示部にＩＰアドレスを表示するものである。
【００２３】
図２は、本発明の実施の形態におけるＩＰ電話ゲートウェイ装置の他の接続例を示す図である。ＩＰ電話ゲートウェイ装置１は、ＴＥＬ  ＩＦ１１および１２を介して電話機２および３と接続され、１０ＢａｓｅＴインタフェース１３を介してＬＡＮ４に接続され、ＡＤＳＬなどのＤＳＬインタフェースを介してインターネット７に接続される。
【００２４】
ＰＣ５は、ＬＡＮ４を介してＩＰ電話ゲートウェイ装置１からログ情報などを取得することが可能である。また、ＰＣ５は、インターネット７およびＤＳＬインタフェース１４を介してＩＰ電話ゲートウェイ装置１からログ情報などを取得することも可能である。
【００２５】
図３は、本発明の実施の形態におけるＩＰ電話ゲートウェイ装置の概略構成を示すブロック図である。このＩＰ電話ゲートウェイ装置１は、ＴＥＬ  ＩＦ１１および１２と、ＬＡＮ  ＩＦ１３と、ＤＳＬ  ＩＦ１４と、各種信号処理を行なうＤＳＰ（Digital Signal Processor）１５と、音声信号の圧縮／伸長を行なうＣＯＤＥＣ１６と、電話機２および３に対応して設けられるＳＬＩＣ（Subscriber Line Interface Circuit）１７および１８と、ＩＰ電話ゲートウェイ装置１の制御プログラム、ログ情報などが格納される記憶部１９と、ＬＡＮの物理層を制御するＰＨＹ部２０と、ＤＳＬの物理層を制御するＰＨＹ部２１と、ＩＰ電話ゲートウェイ装置１全体の制御を行なう制御部２２とを含む。
【００２６】
制御部２２は、ＣＰＵ（Central Processing Unit）が記憶部１９に格納される制御プログラムを実行することによって実現される。なお、制御プログラムは、ＤＳＬ  ＩＦ１４およびインターネット７を介してダウンロードされて、記憶部１９に格納されてもよいし、ＬＡＮ  ＩＦ１３およびＬＡＮ４を介してダウンロードされて、記憶部１９に格納されてもよい。
【００２７】
制御部２２は、ＰＰＰ、ＤＨＣＰなどによって付与されるＩＰアドレスを受信して記憶部１９に格納する。また、制御部２２は、ＩＰ電話ゲートウェイ装置１の状態、ログ情報、電話回線等の設定情報などを記憶部１９に格納しており、ＰＣ５からの要求に応じて、これらの情報をＰＣ５へ送信する。
【００２８】
ＰＨＹ部２０は、ＬＡＮの物理層を制御する部分であり、制御部２２の制御によってＬＡＮ４に接続されたＰＣ５などの機器とデータ通信などを行なう。また、ＰＨＹ部２１は、ＤＳＬの物理層を制御する部分であり、制御部２２の制御によってインターネット７に接続されたＩＰ電話交換機、ＰＣなどの機器とデータ通信を行なう。
【００２９】
ＳＬＩＣ１７および１８は、それぞれ電話機２および３のオフフックの検出処理、リンガ信号の生成処理などを行なう。
【００３０】
図４は、本発明の実施の形態におけるＩＰ電話ゲートウェイ装置１の処理手順を説明するためのフローチャートである。まず、利用者が、電話機２または３のオフフック後に番号を入力すると（Ｓ１１）、制御部２２はその番号が電話番号であるか、特殊番号であるかを判定する（Ｓ１２）。その番号が電話番号であれば（Ｓ１２，Ｎｏ）、制御部２２はＰＨＹ部２０または２１を制御して、ＩＰ電話の発信処理を行なう（Ｓ１３）。
【００３１】
また、その番号が特殊番号であれば（Ｓ１２，Ｙｅｓ）、制御部２２はＳＬＩＣ１７または１８を制御して、電話機２または３に対して着信表示音の送出を行なう（Ｓ１４）。なお、特殊番号として、たとえば“＊＃１”などが使用されるがこれに限られるものではない。
【００３２】
次に、制御部２２はＳＬＩＣ１７または１８を制御して、電話機２または３に対して情報受信端末起動音を送出する（Ｓ１５）。そして、制御部２２は、記憶部１９に格納されているＩＰアドレスを読出し、ＩＰアドレスをモデム信号として電話機２または３へ送出する（Ｓ１６）。
【００３３】
最後に、制御部２２は、ＳＬＩＣ１７または１８を制御して、電話機２または３に対して着信表示音の送出を行なう（Ｓ１７）。なお、ステップＳ１４〜Ｓ１７の処理は、交換機が番号通知機能を用いて、電話機に発信者の電話番号を表示させる場合の処理手順に準ずるものである。
【００３４】
ＩＰ電話ゲートウェイ装置１は、ＩＰアドレスを電話番号に置き換えて電話機２または３に送出する。たとえば、ＩＰアドレスが“１９２．１６８．１．１”であれば、電話機２または３に電話番号“１９２１６８００１００１”を送出して、この番号を表示させる。利用者はこの番号を参照して、ＩＰ電話ゲートウェイ装置１のＩＰアドレスを知ることができる。
【００３５】
以上説明したように、本実施の形態におけるＩＰ電話ゲートウェイ装置によれば、電話機のナンバー・ディスプレイ機能を利用して、動的に割当てられるＩＰアドレスを電話機に表示するようにしたので、利用者はＩＰ電話ゲートウェイ装置のＩＰアドレスを容易に知ることができ、ＰＣなどからＩＰ電話ゲートウェイ装置が保持する各種情報を取得することが可能となった。
【００３６】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
【発明の効果】
請求項１に記載のＩＰ電話ゲートウェイ装置によれば、送出手段が、電話機からの要求に応じて、記憶手段に記憶された自身のＩＰアドレスを読出して電話機へ送出するので、電話機は送出されたＩＰアドレスを表示して利用者に提示することが可能となった。
【００３８】
請求項２に記載のＩＰ電話ゲートウェイ装置によれば、送出手段が、番号通知機能を用いて電話機にＩＰアドレスを送出して表示させるので、既存の電話機を用いて、ＩＰアドレスを利用者に提示することが可能となった。
【００３９】
請求項３に記載のＩＰ電話ゲートウェイ装置によれば、送出手段が、電話機から特殊番号を受けたときに、記憶手段に記憶された自身のＩＰアドレスを読出して電話機へ送出するので、既存の電話機を用いて、ＩＰアドレスを利用者に提示することが可能となった。
【００４０】
請求項４に記載のＩＰ電話ゲートウェイ装置の制御プログラムによれば、電話機からの要求に応じて、記憶された自身のＩＰアドレスを読出して電話機へ送出するので、電話機は送出されたＩＰアドレスを表示して利用者に提示することが可能となった。
【図面の簡単な説明】
【図１】本発明の実施の形態におけるＩＰ電話ゲートウェイ装置の接続例を示す図である。
【図２】本発明の実施の形態におけるＩＰ電話ゲートウェイ装置の他の接続例を示す図である。
【図３】本発明の実施の形態におけるＩＰ電話ゲートウェイ装置の概略構成を示すブロック図である。
【図４】本発明の実施の形態におけるＩＰ電話ゲートウェイ装置１の処理手順を説明するためのフローチャートである。
【符号の説明】
１  ＩＰ電話ゲートウェイ装置、２，３  電話機、４  ＬＡＮ、５  ＰＣ、６ＧＷ、７  インターネット、１１，１２  ＴＥＬ  ＩＦ、１３  ＬＡＮ  ＩＦ、１４  ＤＳＬ  ＩＦ、１５  ＤＳＰ、１６  ＣＯＤＥＣ、１７，１８  ＳＬＩＣ、１９  記憶部、２０，２１  ＰＨＹ部、２２  制御部。
【図１】
2004200899.tif 000003
【図２】
2004200899.tif 000004
【図３】
2004200899.tif 000005
【図４】
2004200899.tif 000006